(57)【要約】【課題】複数段の爆薬を、必ず配置の順序にしたがって爆発させるように構成した制御方法を提供する。【解決手段】延時薬を備えた段発雷管に導火管を取り付けた導火管付き雷管を、複数の装薬孔に装填して対象物を爆破する方法である。各装薬孔に親ダイを装填するに際し、親ダイには雷管を挿入し、この親ダイには、次段への導火管の始端を沿わせて連結する。前段の親ダイの爆発の後に、次段の導火管付き雷管を起爆させて行う爆破の制御方法である。【選択図】図３
2010133675.tif 000002
【特許請求の範囲】
【請求項１】
延時薬を備えた段発雷管に導火管を取り付けた導火管付き雷管を、複数の装薬孔に装填して対象物を爆破する方法であって、
各装薬孔に親ダイを装填するに際し、
親ダイには雷管を挿入し、
この親ダイには、次段への導火管の始端を沿わせて連結し、
最初の導火管を起爆させて、その爆ごう波を導火管の終端の導火管付き雷管に伝達し、
雷管への爆ごう波の伝達によって最初の親ダイを所定の遅延時間後に爆発させ、
最初の親ダイの爆発の衝撃により、この親ダイに連結した次段の導火管に爆ごう波を生じさせ、
その爆ごう波を次段の導火管付き雷管に伝達し、
雷管への爆ごう波の伝達によって次段の親ダイを所定の遅延時間後に爆発させ、
こうして順次、前段の親ダイの爆発の後に、次段の導火管付き雷管を起爆させて、その爆ごう波の伝達によって、所定の遅延時間後に親ダイを爆発させて行う、
爆破の制御方法。
【請求項２】
各親ダイの爆発の衝撃による爆ごう波を伝達する導火管の途中に、
コネクター用導火管付き雷管を介在させ、
このコネクター用導火管付き雷管の起爆の有無によって、直前の親ダイの起爆の有無を確認できるように構成した、
請求項１記載の爆破の制御方法。
【請求項３】
最後の親ダイに結合した導火管にコネクター用導火管付き雷管を取り付け、
このコネクター用導火管付き雷管の起爆の有無によって、すべての親ダイが爆破したか否かを確認できるように構成した、
請求項１記載の爆破の制御方法。
【発明の詳細な説明】
【技術分野】
【０００１】
本発明は、爆破の制御方法に関するものである。
【背景技術】
【０００２】
複数の爆薬に時間差を設けて爆破する方法は、たとえば都市内でのビルの解体などでは振動、爆発音を抑制するためにも有効である。
【発明の開示】
【発明が解決しようとする課題】
【０００３】
複数段の爆破に時間差を設けるために従来は、雷管内の設けた延時薬によって行っている。
しかし雷管の延時薬だけに頼る爆破の制御方法にあっては、次のような問題点がある。
１）  現在の雷管の遅延機構では時間の精度がそれほど高いものではなく、±１０％程度の誤差がある。
２）  そのために、多段の発破の場合に、前段の遅れと、後段の早期化が重なると、予定通りの時間差を取ることができず、時間的にきわめて接近した爆破が生じる可能性がある。
３）  複数段の爆破が時間的にきわめて接近して行われると、特に市街地での爆破では、その爆発音や振動が許容範囲を超えて近隣に不安を与える可能性もある。
４）  また別の問題として、複数個の爆薬が完全に爆破したか、のチェック手段の問題がある。すなわち導火管付き雷管による爆破では、電気雷管の場合と違って電気的導通試験を行うなどのチェック手段が存在しない。
５）  そのために、導火管付き雷管による爆破においては、すべての爆薬が予定通りに起爆したか否かが不明な場合があり、仮に爆薬が不発や残留した場合には、後工程の作業に危険が及ぶ可能性がある。
【課題を解決するための手段】
【０００４】
上記のような課題を解決するために、本発明の爆破の制御方法は延時薬を備えた段発雷管に導火管を取り付けた導火管付き雷管を、複数の装薬孔に装填して対象物を爆破する方法であって、各装薬孔に親ダイを装填するに際し、親ダイには雷管を挿入し、この親ダイには、次段への導火管の始端を沿わせて連結し、最初の導火管を起爆させて、その爆ごう波を導火管の終端の導火管付き雷管に伝達し、雷管への爆ごう波の伝達によって最初の親ダイを所定の遅延時間後に爆発させ、最初の親ダイの爆発の衝撃により、この親ダイに連結した次段の導火管に爆ごう波を生じさせ、その爆ごう波を次段の導火管付き雷管に伝達し、雷管への爆ごう波の伝達によって次段の親ダイを所定の遅延時間後に爆発させ、こうして順次、前段の親ダイの爆発の後に、次段の導火管付き雷管を起爆させて、その爆ごう波の伝達によって、所定の遅延時間後に親ダイを爆発させて行う爆破の制御方法を特徴としたものである。
【発明の効果】
【０００５】
本発明の爆破の制御方法は以上説明したようになるから次のような効果を得ることができる。
＜１＞  前段の親ダイが爆発しないと、次段の導火管に爆ごう波が発生することがない。
＜２＞  そのために、親ダイは必ず順番に爆発してゆくことになり、複数の爆薬が延時薬の誤差によってほぼ同時に爆発してしまうという可能性は排除される。
＜３＞  したがって爆発時が接近したり、爆発音や振動が重複して発生することはない。
＜４＞  導火管の途中、あるいは最終段の親ダイから引き出した導火管にコネクター用導火管付き雷管を取り付けておけば、不発の親ダイの有無、その位置を特定することができる。
【発明を実施するための最良の形態】
【０００６】
以下図面を参照にしながら本発明の好適な実施の形態を詳細に説明する。
【実施例】
【０００７】
＜１＞前提条件。
本発明の爆破の制御方法は、導火管２付き雷管１を使用することを前提としたものである。
この導火管２付き雷管１としては、延時薬を備えた段発雷管を使用する。
この導火管２付き雷管１を親ダイに挿入して一体化する。
この親ダイを装薬孔ｈの奥に装填して爆破を行う方法であり、この点は従来の方法と同様である。
【０００８】
＜２＞導火管２の親ダイへの取り付け。
しかし本発明の抑制方法では、装薬孔ｈへ装填する前に、特に親ダイ３に次段へ爆ごう波を伝達するための導火管２１の始端を沿わせて連結する点に特徴を有する。（図１、３）
すなわち、導火管付き雷管１を挿入した親ダイ３の側面に、次の段の導火管２１の始端をテープ４などで巻きつけて一体化するものである。
なお、図３、４では省略してあるが１本の装薬孔ｈには複数本のダイナマイトを装填して対象物の爆破を行うものであり、ここでいう「親ダイ」とは、１本の装薬孔ｈに装填した複数本のダイナマイトの内で、特に雷管を取り付けたダイナマイトのことをいう。
親ダイ３の起爆によって誘爆する、雷管を取り付けていない他のダイナマイトは「増ダイ」という。
【０００９】
＜３＞連続爆破の経過。
上記のような親ダイ３と導火管２との接続を行った装填状態を図３に基づいて説明すると、各ダイナマイトは次の順序で爆発することになる。
まず最初の親ダイ３の起爆は、初期起爆用の電気雷管５に通電することよって導火管２を起爆して行う。
遠隔操作が容易な電気雷管５による起爆によって最初の導火管２の内部を伝わる爆ごう波が、その導火管２の終端に取り付けた導火管付き雷管１に到達してそれを起爆する。
この雷管１の起爆によって最初の親ダイ３が爆発する。
この親ダイ３が爆発して初めて、その親ダイ３に沿わせた次の段への導火管２１の始端に爆ごう波が発生する。
その次の段への導火管２１の爆ごう波が、導火管２１を伝達してその終端に位置する次段の導火管付き雷管１に到着する。
この雷管１も延時薬を備えているから、そこで一定の時間を消費し、その後に、次段の親ダイ３が所定の遅延時間後に爆発し、増ダイも爆発する。
こうして順次、前段の親ダイ３の爆発の後に、その衝撃によって次の段への導火管２１に爆ごう波が生じ、この爆ごう波が、次段の導火管付き雷管１に入力し、雷管内で一定時間を消費した後にその親ダイ３が爆発する、という現象を繰り返す。
【００１０】
＜４＞爆破個所の確認システム。
前記の問題点で記載したように、複数個所の爆破を行った場合に、不発が発生すると、その後の作業が危険である。
不発個所は、通常はそこだけ破壊していないという外観で判断することができる。
しかし、たとえばコンクリート構造体の一部にクラックを入れ、その後の解体を容易にするような目的の爆破であって、かつ解体対象物が地面に埋まっているような場合などでは、爆破の有無を目視では判断しにくい。
あるいは原石山のように爆破後に砕石の山ができてしまうような爆破でも目視が困難となる場合がある。
そのために前記の実施例の配置の一部、すなわち各親ダイ３の爆発の衝撃による爆ごう波を次の段の導火管付き雷管１へ伝達する導火管２１の途中に、コネクター用導火管付き雷管６を介在させる。（図２）
この「コネクター用導火管付き雷管６」とは、１本の導火管内を伝わる爆ごう波を、他の導火管に伝達させるための市販の部材である。
コネクターとしての合成樹脂部材は、導火管２を簡単に挿入して取り付けることできる容器として形成してあり、延時薬を内在させた雷管が一体となっている。
この雷管が起爆することによって、１本の導火管２内を伝わってきた爆ごう波が、他の導火管２に伝達することになる。
したがってコネクターに複数本の導火管２を取り付けておけば、１本の導火管２からの爆ごう波を複数本の導火管２への分岐させることもできる。
あるいは１本の導火管２の長さが不足する場合に、このコネクターを介在させて他の導火管２へ延長させるために使用することもできる。
図の実施例におけるコネクター用導火管付き雷管６の使用は、後者の用途である。
【００１１】
＜５＞確認の実際。
図２、４に示すように、一つの親ダイ３に沿わせた次に段への導火管２１の途中にコネクター用導火管付き雷管６を介在させておく例を説明する。
前記したように、ひとつの親ダイ３が起爆すれば、その衝撃で次の段の導火管２１の爆ごう波が次の段の親ダイ３に伝達して起爆させるはずである。
しかし断線その他の理由でこの親ダイ３が爆発しないと、次の段への導火管２１に爆ごう波が発生しない。
そのために、導火管２に介在させておいたコネクター用導火管付き雷管６が起爆せず、その形のまま残ってしまう。
コネクター用導火管付き雷管６を、爆破の影響を受けない位置に配置しておけば、それが残った場合には、その直前の親ダイ３が起爆していなかったことを簡単に知ることができる。
このように、コネクター用導火管付き雷管６の起爆の有無によって、どの装薬孔ｈまでの親ダイ３が爆発したか、その状況を容易に確認することができる。
【００１２】
＜６＞全段の爆発の確認システム。
図４に示すように、最後の親ダイ３から引き出した導火管２にコネクター用導火管付き雷管６を取り付けておく。
この構成を採用すると、最後の確認のためのコネクター用導火管付き雷管７は、最終段の親ダイ３が爆発しないかぎり起爆することがない。
その結果、この最終位置の確認用のコネクター用導火管付き雷管７の起爆の有無によって、すべての親ダイ３が爆発したか否かを簡単に確認することができる。
【図面の簡単な説明】
【００１３】
【図１】本発明の爆破の制御方法の実施例における親ダイと導火管の接続状態の説明図。
【図２】他の実施例における親ダイと導火管の接続状態の説明図。
【図３】図１の実施例の親ダイを装薬孔内に装填した状態の説明図。
【図４】図２の実施例の親ダイを装薬孔内に装填した状態の説明図。
【符号の説明】
【００１４】
１：導火管付き雷管
２：導火管
２１：次の段への導火管
３：親ダイ
５：初期起爆用電気雷管
６：コネクター用導火管付き雷管
７：確認用コネクター用導火管付き雷管
ｈ：装薬孔
【図１】
2010133675.tif 000003
【図２】
2010133675.tif 000004
【図３】
2010133675.tif 000005
【図４】
2010133675.tif 000006